(57)【特許請求の範囲】
【請求項１】
二枚の外方紙片と三枚の内方紙片からなる五枚の紙片が折り部を介して連接され、一端部側の内方紙片から巻き折り状に折り畳んで二枚の外方紙片の間に三枚の内方紙片が位置する封書を形成するシートであって、
前記紙片の連接方向に沿い、かつ巻き折り状に折り畳んだときに相互に対向する辺を封着辺とし、前記封着辺に沿って切取りミシン目からなる切取り部を配して該封着辺が分離可能に設けられているとともに、前記封着辺の折り畳んだときの対向面が接着部とされ、
前記外方紙片の巻き折り終端となる側辺において、折り畳んだときに内方紙片に相対する対向面が接着部とされ、
折り畳んだときに外方紙片の巻き折り終端となる側端の位置とは反対側の位置で二枚の外方紙片の間にある折り部に沿ってこの二枚の外方紙片に切取り部が配されているとともに、折り畳んだときに前記二枚の外方紙片の間の折り部側に位置して、外方紙片の前記巻き折り終端の側端が重なる内方紙片とこの内方紙片に連接している内方紙片との間の折り部に沿ってこの二枚の内方紙片に切取り部が配され、前記二枚の外方紙片の切取り部と前記二枚の内方紙片の切取り部とが重なって、前記折り部側の辺が分離可能に設けられ、
前記三枚の内方紙片の内の巻き折り始め側の内方紙片の連接方向での幅が、この巻き折り始め側の内方紙片に折り部を介して連接されている内方紙片に設けられた前記側辺の位置とは反対側にある前記切取り部から、この巻き折り始め側の内方紙片との間の折り部までの長さより短かく設けられ、
折り畳まれたときのシートにおける前記切取り部からの分離により、二片の内方紙片からなる枚葉部と、一枚の内方紙片と二枚の外方紙片とかなる冊子部とに分離する構成としたことを特徴とする封書用シート。
【発明の詳細な説明】
【０００１】
【発明の属する技術分野】
本発明は巻き折り状に折り畳むことで封書が得られるようにした封書用シートに関するものである。
【０００２】
【発明が解決しようとする課題】
従来からダイレクトメールのように顧客向けに各種サービスや新商品の案内を行なう場合には封書が用いられている。そして、近年においては見開き可能に綴じ合わされている冊子と二つ折りしたチラシなどの枚葉物とを封筒に入れて送付することも行われ、開封した後に冊子と枚葉物とで提供情報などの内容を変えるようにした工夫が試みられている。
しかしながら、上記冊子と枚葉物とを封筒に入れて送付するという作業を行なうものとなるため、上述したダイレクトメールのように多くの顧客に対して送付する場合には多大な労力が必要になるという問題がある。また、内封物同士（冊子と枚葉物）の組み合わせ確認やこれら内封物と封筒に記載された送付先情報との対応付けを行なう必要があって封書作成が煩雑になっている。さらに、冊子、枚葉物、封筒を別々に製造して保管し、その後、冊子、枚葉物、封筒を必要量用意してからこれら一つにまとめるため、封書を得るまでの効率を向上させ難いという問題もあった。
そこで本発明は上記事情に鑑み、枚葉物、冊子、封筒とを別々に製造することなく、一つの封書用シートから、枚葉物と冊子とを有した封書が得られるようにすることを課題とし、封書の送付に際する手間を軽減するとともに、封書を効率よく製造できるようにすることを目的とするものである。
【０００３】
【課題を解決するための手段】
本発明は上記課題を考慮してなされたもので、二枚の外方紙片と三枚の内方紙片からなる五枚の紙片が折り部を介して連接され、一端部側の内方紙片から巻き折り状に折り畳んで二枚の外方紙片の間に三枚の内方紙片が位置する封書を形成するシートであって、前記紙片の連接方向に沿い、かつ巻き折り状に折り畳んだときに相互に対向する辺を封着辺とし、前記封着辺に沿って切取りミシン目からなる切取り部を配して該封着辺が分離可能に設けられているとともに、前記封着辺の折り畳んだときの対向面が接着部とされ、前記外方紙片の巻き折り終端となる側辺において、折り畳んだときに内方紙片に相対する対向面が接着部とされ、折り畳んだときに外方紙片の巻き折り終端となる側端の位置とは反対側の位置で二枚の外方紙片の間にある折り部に沿ってこの二枚の外方紙片に切取り部が配されているとともに、折り畳んだときに前記二枚の外方紙片の間の折り部側に位置して、外方紙片の前記巻き折り終端の側端が重なる内方紙片とこの内方紙片に連接している内方紙片との間の折り部に沿ってこの二枚の内方紙片に切取り部が配され、前記二枚の外方紙片の切取り部と前記二枚の内方紙片の切取り部とが重なって、前記折り部側の辺が分離可能に設けられ、前記三枚の内方紙片の内の巻き折り始め側の内方紙片の連接方向での幅が、この巻き折り始め側の内方紙片に折り部を介して連接されている内方紙片に設けられた前記側辺の位置とは反対側にある前記切取り部から、この巻き折り始め側の内方紙片との間の折り部までの長さより短かく設けられ、折り畳まれたときのシートにおける前記切取り部からの分離により、二片の内方紙片からなる枚葉部と、一枚の内方紙片と二枚の外方紙片とかなる冊子部とに分離する構成としたことを特徴とする封書用シートを提供して、上記課題を解消するものである。
【０００４】
【発明の実施の形態】
つぎに本発明を図１から図５に示す実施の形態に基づいて詳細に説明する。
図中１は封書用シートで、図１と図２に示されているように、該封書用シート１は五枚の紙片２、３、４、５、６が前記紙片２側からの第一、第二、第三、第四の折り部７、８、９、１０を介して連接されていて、一端部側に位置する紙片２から順に巻き折り状に折り畳むことで封書が形成されるようにしたものであり、後述するように三枚の紙片２、３、４が内方紙片となって、二枚の紙片５、６からなる外方紙片の間に前記内方紙片が折り込まれるようにした封書１６が形成されるようにしている（図３、４参照）。
上記封書用シート１において、巻き折り状に折り畳んだときに外方紙片として巻き折り終端側となる紙片６の片面には宛名情報記載部１１が設定されており、図１には前記宛名情報記載部１１が表れる側の封書用シート１の片面が示されている。また、図２は封書用シート１のもう一方の片面が示されている。
【０００５】
図１、図２に示されているように封書用シート１にあっては、五紙片の連接方向に沿って、かつ巻き折り状に折り畳んだときに相互に対向する二辺を封着辺１２としていて、この封着辺１２に沿って切取りミシン目からなる切取り部１３が形成されており、この切取り部１３から前記封着辺１２が分離可能に設けられている。
さらに、上下端が封着されている封書１６を得るようにするために、封書用シート１を巻き折り状に折り畳んだときの上記封着辺１２の対向面に接着剤を塗布して接着部１４としていて、図２に示されているように折り畳んだときに内方紙片となる紙片２、３、４の封着辺１２と外方紙片となる紙片５の封着辺１２とに連続して、通常の状態では接着力を呈さず、熱、圧などの接着条件を付与することで接着する接着手段を予め塗布している。また、封書用シート１の折り畳み時に前記封着辺１２に接着剤を塗布することによって接着部１４を形成するようにしてもよい。
また、封書用シート１の他端部側であって外方紙片となる紙片６の巻き折り終端となる側辺において、折り畳んだときに内方紙片の紙片４に相対する対向面も接着部１４があり、上記封着辺１２における接着部１４と同様である。
【０００６】
さらに封書用シート１では、巻き折りで折り畳んだ状態において紙片６の上記接着部１４とした側辺の位置とは反対側の位置となる第二の折り部８と第四の折り部１０それぞれに沿って切取りミシン目からなる切取り部１３を巻き折りで折り畳んだ状態のときに重なる位置に配して、該折り部側の辺が分離可能に設けられ、紙片３、４の第二の折り部８側の辺と紙片５、６の第四の折り部１０側の辺とが切取り部１３から分離可能に設けられている。そして、図４に示されているように、巻き折り始め側の紙片２にあっては、その連接方向での幅が、この紙片２に第一の折り部７を介して連接している紙片３に設けられた前記切取り部１３から、第一の折り部７までの長さより短かく設けられていて、巻き折り状に折り畳みしたときに紙片２が切取り部１３の位置に重ならないように設けられている。
【０００７】
上記封書用シート１の内方紙片となる紙片２、３、４には、例えばその両面が宣伝などを掲載するための通知情報記載部１５として形成されている。また、外方紙片となる上記紙片５、６にあっても巻き折りしたときに封書内方となる面が宣伝などを掲載するための通知状記載面１５として形成されている。
【０００８】
上記構造の封書用シート１を紙片２側から巻き折り状に折り畳み、接着部１４での接着が行われることによって、図３に示すように紙片６の上記宛名情報記載部１１を外方に位置させた封書１６が得られ、図４に示すように紙片２、３、４を封書内方に位置させたものとしている。
そして、上記封書１６を開封するに際しては図５（イ）（ロ）に示されているように切取り部１３から三辺を分離すればよく、この切取り部１３から開封することによって図５（ハ）（ニ）に示されているように、紙片２、３が第一の折り部７で連接している枚葉部１７と、紙片４、５が第三の折り部９で連接して紙片４の第三の折り部９側の辺に紙片６が接着して紙片４、５、６が見開きできるようにした冊子部１８とが得られる。
このように封書１６を開封することによって形態の異なる枚葉部１７と冊子部１８とが得られることから、通知情報の種類などを枚葉部１７と冊子部１８とで変えるようにすることができる。また、枚葉部１７にあっては二紙片２、３が連接したものであるため、折り合わせしたときに対向する周辺に接着剤などを設けておいて、この枚葉部１７を返信用封書などとして利用できるようにしてもよい。
【０００９】
【発明の効果】
以上説明した本発明の封書用シートは、二枚の外方紙片と三枚の内方紙片からなる五枚の紙片が折り部を介して連接され、一端部側の内方紙片から巻き折り状に折り畳んで二枚の外方紙片の間に三枚の内方紙片が位置する封書を形成するシートであって、前記紙片の連接方向に沿い、かつ巻き折り状に折り畳んだときに相互に対向する辺を封着辺とし、前記封着辺に沿って切取りミシン目からなる切取り部を配して該封着辺が分離可能に設けられているとともに、前記封着辺の折り畳んだときの対向面が接着部とされ、前記外方紙片の巻き折り終端となる側辺において、折り畳んだときに内方紙片に相対する対向面が接着部とされ、折り畳んだときに外方紙片の巻き折り終端となる側端の位置とは反対側の位置で二枚の外方紙片の間にある折り部に沿ってこの二枚の外方紙片に切取り部が配されているとともに、折り畳んだときに前記二枚の外方紙片の間の折り部側に位置して、外方紙片の前記巻き折り終端の側端が重なる内方紙片とこの内方紙片に連接している内方紙片との間の折り部に沿ってこの二枚の内方紙片に切取り部が配され、前記二枚の外方紙片の切取り部と前記二枚の内方紙片の切取り部とが重なって、前記折り部側の辺が分離可能に設けられ、前記三枚の内方紙片の内の巻き折り始め側の内方紙片の連接方向での幅が、この巻き折り始め側の内方紙片に折り部を介して連接されている内方紙片に設けられた前記側辺の位置とは反対側にある前記切取り部から、この巻き折り始め側の内方紙片との間の折り部までの長さより短かく設けられ、折り畳まれたときのシートにおける前記切取り部からの分離により、二片の内方紙片からなる枚葉部と、一枚の内方紙片と二枚の外方紙片とかなる冊子部とに分離する構成としたことを特徴とするものである。
これにより、本封書用シートを巻き折り状に折り畳んで得られる封書では、開封することによって形態の異なる枚葉物と冊子とが得られるようになり、従来、冊子とチラシなどの枚葉物とを封筒に入れるという手間を要することなく、枚葉物と冊子とが一体となった封書が得られるようになる。そして、前記枚葉物と冊子とのマッチングを行なう必要が無い。さらに従来、冊子とチラシなどの枚葉物と封筒とをそれぞれ別途に製造しているが、本発明ではこれらを一枚の封書用シートで構成できるようにしているため、内封物を有する封書の製造が効率よく行なえるなど、実用性に優れた効果を奏するものである。
【図面の簡単な説明】
【図１】  本発明に係る封書用シートの一例における片面を示す説明図である。
【図２】  同じく一例における他方の片面を示す説明図である。
【図３】  一例から得られる封書を示す説明図である。
【図４】  封書の断面を示す説明図である。
【図５】  封書の開封と冊子部、枚葉部の形態を示す説明図である。
【符号の説明】
１…封書用シート
２、３、４、５、６…紙片
７…第一の折り部
８…第二の折り部
９…第三の折り部
１０…第四の折り部
１２…封着辺
１３…切取り部
１４…接着部
１６…封書
１７…枚葉部
１８…冊子部
【図１】
0004023783.tif 000002
【図２】
0004023783.tif 000003
【図３】
0004023783.tif 000004
【図４】
0004023783.tif 000005
【図５】
0004023783.tif 000006